(57)【特許請求の範囲】
【請求項１】
特に換気装置における供給空気流または容積測定用空気流（２）をモニタするデバイス（１）であって、
前記デバイス（１）は近接型流体素子（３）を有し、その保持具（１３）に対する位置は保持力ＦＭに抗して変化させることができ、
前記近接型流体素子（３）は、その位置の変化を形成させるために、モニタすべき空気流（２）を衝突させることができ、
磁気部材（４）が、前記近接型流体素子（３）の縁部に配置され、前記近接型流体素子（３）の位置に応じた磁界を形成するために備えられ、
磁界を検出し、磁界に応じた測定信号を発生させるための測定手段（９）が備えられ、
前記近接型流体素子（３）が、重力および該近接型流体素子（３）の位置にかかわらず設置できるように、少なくとも１個の釣り合い錘が設けられ、
前記磁界は保持力ＦＭの少なくとも一部を形成するとともに、
前記測定手段が、リード接点スイッチ（９）に配設されたリード接点（１０）を有し、前記磁気部材（４）とリード接点スイッチ（９）の間の相互作用により保持力ＦＭを発生するように構成される、
デバイス。
【請求項２】
前記磁気部材が、永久磁石（４）を有することを特徴とする請求項１に記載のデバイス。
【請求項３】
前記永久磁石（４）が、前記近接型流体素子（３）に取り付けられることを特徴とする請求項２に記載のデバイス。
【請求項４】
前記永久磁石（４）が保持具（１３）に固定して取り付けられ、磁性素子、特に強磁性素子が前記近接型流体素子（３）に取り付けられることを特徴とする請求項１または２に記載のデバイス。
【請求項５】
前記近接型流体素子（３）が、前記空気流（２）が弁上にその懸架軸の回りのトルクモーメントを加えるように、回転可能に懸架された弁を有することを特徴とする請求項１から４のいずれか１項に記載のデバイス。
【請求項６】
前記近接型流体素子（３）が偏心して設置され、前記近接型流体素子（３）のより大きな領域部（７）が釣り合い錘として設けられることを特徴とする請求項５に記載のデバイス。
【請求項７】
前記釣り合い錘が、少なくとも前記磁気部材（４）の部分も有することを特徴とする請求項６に記載のデバイス。
【請求項８】
前記保持力ＦＭを調節できるように、調節要素が備えられることを特徴とする請求項１から７のいずれか１項に記載のデバイス。
【請求項９】
前記調節要素が、前記磁界中に配置することのできる追加の磁性素子、特に強磁性素子を有することを特徴とする請求項８に記載のデバイス。
【請求項１０】
前記調節要素を構成するために、前記リード接点スイッチ（９）が、前記永久磁石（４）からの距離に関して調節することができることを特徴とする請求項８または９に記載のデバイス。
【請求項１１】
前記近接型流体素子（３）の有効領域を変更できることを特徴とする請求項８から１０のいずれか１項に記載のデバイス。
【請求項１２】
前記保持力ＦＭによって前記永久磁石（４）がリード接点スイッチ（９）へ最短距離に保持されるときにその静止状態にあるように、前記近接型流体素子（３）を搭載されることを特徴とする請求項１に記載のデバイス。
【請求項１３】
前記測定手段（９）が、筐体（１３）として作製された前記保持具中に配設されることを特徴とする請求項１から１２のいずれか１項に記載のデバイス。
【請求項１４】
前記近接型流体素子（３）が、前記空気流（２）を通過させる開口（１４）を有する筐体部（１３ｃ）に、ピボット軸受（６）に懸架され、前記空気流（２）によって回転方向に偏向可能に備えられ、
前記近接型流体素子（３）に面する側の筐体部（１３ｃ）の側面が、前記近接型流体素子弁（３）が前記ピボット軸受（６）を中心の可動半径（ｒ１）を有する有効領域部（７）との間に封止間隙（１５）を有するように成形されていることを特徴とする請求項１から１３のいずれか１項に記載のデバイス。
【請求項１５】
より小さな開口（１４ａ）を有する筐体部（１３ｂ）が、前記開口（１４）全面に挿入されることを特徴とする請求項１４に記載のデバイス。
【請求項１６】
前記近接型流体素子（３）が、偏心して配設されて有効領域部（７）と該有効領域部（７）より小さな領域部（８）を有し、質量補正が異なるサイズの領域を基に確保され、前記より小さな領域部（８）に磁気部材（４）が配設され、前記有効領域部（７）が空気流（２）と相互作用に供されるとともに、
前記より小さな領域部（８）、磁気部材（４）および測定手段（９）が、前記保持具（１３）の一部を形成する閉じた筐体部（１３ａ）の内部に配設される
ことを特徴とする請求項１から１５のいずれか１項に記載のデバイス。
【発明の詳細な説明】
【技術分野】
【０００１】
本発明は、請求項１の前節による供給空気流または容積測定用空気流をモニタするデバイスに関する。
【背景技術】
【０００２】
電気および／または電子部品を含む装置、例えばスイッチキャビネットは、通常、空気調節または実際に換気しなければならない。取り付けられた構成部品からの熱放出だけでなく、周囲との熱交換も、その収容物の機能を危険にさらすキャビネット内の環境を作り上げることがあるので、それらの強制的な換気はスイッチキャビネット中の空気を循環させ、構成部品を目標にしてそれを通過させる働きをする。連続的な換気を確保するために、実際の空気流発生機構に加えて供給空気流または容積測定用空気流を検査することによって換気運転をモニタする補助的な制御ユニットが必要とされる。
【０００３】
供給空気流または容積測定用空気流をモニタするための現在のデバイスは、しばしば純粋に電子的な構造で供給される。通常、これらは熱力学的原理に従って動作する。すなわち、検出器とそれを通過する媒体との間に温度の差を作り出すように、測定検出器は内部電源によって加熱される。エネルギーは流動媒体によって検出器から抽出されるので、そこから媒体の流動状態を導き出すことができる。この種のデバイスは非常に複雑な電子装置を必要とし、これは極めて高価であり、ある種の影響力のある変数だけに応じて円滑に機能することができる。例えば、記録すべき流量が非常に小さいとき、この場合通常使用される検出器は応答しないので、特別に設計した検出器、例えば比較的大きな質量を有する検出器が必要である。結果として、追加の質量と僅かな流れの相互作用のため、長い応答時間を許容することが必要である。したがって、装置の運転が不十分な換気によって乱されるとすれば、このことを認識できる前に長い時間がかかる。
【０００４】
供給空気流または容積測定用空気流をモニタするための他の種類のデバイスは、機械的に動作する要素、例えば、空気がそれに向かって流れるとき、その位置の変化がモニタすべき媒体についての情報を提供するように変位する要素を含む。これらの近接型流体検出器を元の位置に戻すためには、他の機械的要素、例えばスプリングが必要である。しかし、この種の追加の要素は、例えばより大きな磨耗および亀裂のためモニタデバイスの損傷の故障発生度を高める。特に、非常に広範囲の流速および／またはスループットの割合にもかかわらず、確実に空気の流れをモニタできるようにスプリングの構成を設計することは困難である。
【発明の開示】
【発明が解決しようとする課題】
【０００５】
本発明の目的は、最も簡便で高い信頼性を確保する方法にて供給空気流および／または容積測定用空気流をモニタするためのデバイスを作製することである。
【課題を解決するための手段】
【０００６】
この目的は請求項１によるデバイスによって達成される。
具体的には、デバイスは近接型流体素子を有し、その保持具に対する位置は保持力ＦＭに抗して変化させることができる。近接型流体素子は、その位置の変化を形成させるために、モニタすべき空気流を衝突させることができる。磁気部材が、近接型流体素子の縁部に配置され、近接型流体素子の位置に応じた磁界を形成するために備えられる。磁界を検出し、磁界に応じた測定信号を発生させるための測定手段が備えられる。近接型流体素子が、重力および該近接型流体素子の位置にかかわらず設置できるように、少なくとも１個の釣り合い錘が設けられる。磁界は保持力ＦＭの少なくとも一部を形成するとともに、測定手段が、リード接点スイッチに配設されたリード接点を有し、磁気部材とリード接点スイッチの間の相互作用により保持力ＦＭを発生するように構成される。
【０００７】
詳細には、本目的は、近接型流体素子を含む供給空気流または容積測定用空気流をモニタするためのデバイスによって達成され、その保持具に関する位置は保持力ＦＭに抗して変化することができ、モニタすべき空気流は後者の位置の変化を生成するために近接型流体素子に衝突することができる。近接型流体素子の位置に応じた磁界を発生する磁気部材、また、磁界を検出し、磁界に応じた測定信号を発生する測定手段が備えられ、近接型流体素子が、重力および近接型流体素子の位置にかかわらず設置できるように、少なくとも１個の釣り合い錘が設けられる。磁界は保持力ＦＭを形成する。
【０００８】
本発明の要点としては、その位置が衝突する空気流によって変化する近接型流体素子は、流速および／またはスループットの割合が低下するとき、磁気保持力ＦＭによって復元力を受ける。この復元力は近接型流体素子をその初期の位置に戻し、別の復元機構を備える必要がない。
【０００９】
したがって、デバイスの第一の好ましい実施形態において、永久磁石を有する磁気部材が備えられる。これは、例えば電磁石の場合に必要であった別個の電流供給源の必要なしに、デバイスの規則正しい運転をもたらす。デバイスは簡単にかつコスト効量よく製造することができ、保守が不要である。しかし、基本的に電磁石も必要な機能を満足することができる。
【００１０】
さらに、好ましい一実施形態として、近接型流体素子上への永久磁石の搭載が備えられ、ここでも、簡単で経済的な製造が確保される。近接型流体素子への永久磁石の搭載によって、磁界とスイッチ動作の直接的な連結が得られ、追加の要素を必要としない。
【００１１】
デバイスの他の可能な実施は、保持具上への永久磁石の搭載および近接型流体素子上への磁性素子、特に強磁性素子の搭載を含む。これは一方で磁石を保護し、他方で、磁性素子に付随する正確な規定量を使用して、流速および／またはスループットの割合に対してデバイスを極めて高感度に調節することが可能になる。
【００１２】
本発明によるデバイスの他の有利な実施形態において、近接型流体素子は、空気流が弁上にその懸架軸の回りのトルクモーメントを発生させるように回転可能に懸架された弁を有する。それらの弁は簡単な手段によって搭載することができる。
【００１３】
本発明による一解決策は、近接型流体素子に少なくとも１個の釣り合い錘または類似の質量補正素子を設けて、位置と重量を独立して設置できるようにすることを供する。したがって、供給空気流または容積測定用空気流をモニタするデバイスは、任意の望ましい位置および任意の望ましい向きに搭載することができる。これは設置すべき空間が少ないとき、または使用すべき場所への接近が困難であるとき、特に有利である。
【００１４】
特定の実施形態において、質量補正は、近接型流体素子を偏心して搭載することによって実施される。ここでの有利な態様は、質量補正を機能させるために追加の要素が係わる必要がなく、デバイスの簡単で経済的な製造が可能である。さらに、質量が節約されるため、近接型流体素子は低い流速および／またはスループットの割合に対してより迅速に応答することができる。
【００１５】
別法として、または追加で、釣り合い錘は、少なくとも磁気部材の一部を含むことができる。ここで、再び、簡単で経済的なデバイスの製造を確保するために、質量補正素子として必要な追加要素の数をこのようにして低減することができる。低い流速および／またはスループットの割合へ応答する近接型流体素子の動きは、同様に好ましい影響を受ける。
【００１６】
さらに、好ましい一実施形態として、測定手段がリード接点スイッチに配設されるリード接点を有することが供される。ここでの利点は、リード接点が磁界に応答し、したがって、機械的な作動なしにスイッチングを行うことである。したがって、スイッチと近接型流体素子を互いにリード線で接続する必要がなく、デバイスは小型で簡単に作製することができる。
【００１７】
他の実施形態において、リード接点スイッチは保持力ＦＭを発生するように磁界の中に配設される。リード接点スイッチに内在する磁性素子、特に強磁性素子は、それ自体スイッチと永久磁石の間の引力を可能にする。また、これは、追加の要素が必要ないので、簡単で、小型の、従って経済的なデバイスの作製を可能にする。
【００１８】
デバイスの好ましい実施は、保持力ＦＭを調節できるような調節手段を備えることを含む。これは、種々の流速および／またはスループットの割合の大部分に対してデバイスの最適化をもたらす。詳細には、必要に応じて流速および／またはスループットの割合のために制限値を設定することができる。例えばこれは、換気すべき空間、例えば熱発生装置を含むスイッチキャビネットが異なる寸法を有し、したがって異なる換気を必要とするとき、有利である。
【００１９】
本発明によるデバイスの特別な実施形態において、保持力ＦＭの調節は磁界に導入することのできる追加の磁性素子、特に強磁性素子によって可能である。したがって、デバイスの極めて信頼性のある運転を保証するように、流速および／またはスループットの割合の制限値を最も簡単な方法で定めることができる。
【００２０】
別法として、または追加で、保持力ＦＭは、リード接点スイッチを永久磁石から異なる位置に配置して調節装置を形成することによって調節することができる。例えば、距離の微分的変化は単純に近接型流体素子上の永久磁石を移動させることによって形成することができる。したがって、保持力ＦＭを調節するために他の要素は必要ではない。
【００２１】
本発明による他の実施形態は、近接型流体素子の有効表面の変更を供する。この場合の特別な利点はデバイスの応答感度を変更できることである。
【００２２】
特別な実施形態において、筐体は近接型流体素子の有効表面が筐体によって変更できるように作製され、その保持具として働く。これは、例えば、筐体中の開口によって達成することができる。したがって、これは、それらの一連のデバイスの製造を極めて経済的なものする。
【００２３】
他の有利な実施形態において、近接型流体素子は、永久磁石が保持力ＦＭによってリード接点スイッチから最短距離に保持されるときにその静止状態にあるように搭載される。これによって確実に、デバイスは、できる限り単純な構成とすることができる。
【００２４】
デバイスの好ましい実施において、測定手段の保持具は筐体として働くように設計される。その結果、測定手段は外部の影響から保護され、したがって、高い信頼性と精度で運転することができる。
さらに、近接型流体素子が、偏心して配設されて有効領域部と該有効領域部より小さな領域部を有し、質量補正が異なるサイズの領域を基に確保される。より小さな領域部に磁気部材が配設され、有効領域部が空気流と相互作用に供されるとともに、より小さな領域部、磁気部材および測定手段が、保持具の一部を形成する閉じた筐体部の内部に配設されることが好ましい。
近接型流体素子には磁気部材が設けられることから、少なくとも１個の釣り合い錘が設けられるとともに、近接型流体素子が偏心して配設され、近接型流体素子の質量補正が異なるサイズの領域を基に確保される。つまり、静止状態において、近接型流体素子は、磁気部材の磁界とリード接点スイッチの磁性材料との相互作用のため、その静止位置に保たれる。
また、空気流が存在すれば、それは磁気的に働く保持力ＦＭに抗して近接型流体素子を偏向させる。このとき、より大きな領域部として供される有効領域部が空気流と相互作用することによって、より大きく保持力ＦＭに抗して近接型流体素子を偏向させる。
さらに、より小さな領域部、磁気部材および測定手段が、保持具の一部を形成する閉じた筐体部の内部に配設されることによって、保護される。
【００２５】
他の有利な実施形態において、近接型流体素子が、空気流を通過させる開口を有する筐体部に、ピボット軸受に懸架され、空気流によって回転方向に偏向可能に備えられ、近接型流体素子弁に面する側の筐体部の側面が、近接型流体素子弁がピボット軸受を中心の可動半径を有する有効領域部との間に封止間隙を有するように成形されている。側面の筐体部の形状を、弁の有効表面部が偏向されるときにそれに沿って動く通路に接近するように構成することによって、封止間隙の漏れはできるかぎり小さく保たれる。
また、より小さな開口を有する筐体部が、空気流を通過させる開口全面に挿入される。その結果、封止間隙を通る流れが低減されるので、圧力が降下し、デバイスは感度が低くなる。
本発明の他の実施形態は従属請求項から明らかであろう。
【発明を実施するための最良の形態】
【００２６】
以下に例示的実施形態を参照して本発明を説明する。その説明は添付の図面によってサポートされる。
【００２７】
図１の長手方向断面は本発明による供給空気流または容積測定用空気流をモニタするためのデバイス１の特別な実施形態を示す。ここで、近接型流体素子は枢軸として搭載された弁３の形で備えられ、それに磁石保持具５中の永久磁石４が取り付けられる。弁３はピボット軸受６に懸架され、したがって、空気流２によって回転方向に偏向する。永久磁石４は、回転軸に対称で垂直な軸上の弁３の縁部に配置される。
【００２８】
弁３には磁性素子（この場合永久磁石４）の少なくともいくつかが設けられるので、弁３はそれが重力またはその向きにかかわらず設置することができるように、少なくとも１個の釣り合い錘または類似の質量補正素子を設けなければならない。したがって、本図面の中で弁３は偏心して配設され、このようにして質量補正が異なるサイズの領域を基に確保される。この例示的実施形態において、有効領域部７は、補正表面、すなわち空気流２と相互作用する弁３のより大きな領域部として供される。永久磁石４はより小さな領域部８に配設される。
【００２９】
本図はリード接点１０を有するリード接点スイッチ９を示す。リード接点スイッチ９は、特にガラス本体を保護するために埋め込み状にすることが好ましい。電流はリード線１２によって供給される。この場合、スイッチ９は、磁界中の永久磁石４とリード接点１０の間の相互作用が保持力ＦＭの少なくとも一部を発生するように構成される。さらに、通常鉄−ニッケル合金から作られる接点保持具１１は永久磁石４の磁界と相互作用することができる。
【００３０】
例示的実施形態は、保持力ＦＭの調節を可能にする調節手段を含む。図１に見ることができるように、保持力ＦＭの最初の設定は、デバイス１の意図した検出動作に適したリード接点スイッチ９と永久磁石４の間の特定の距離ｄを選択することによって極めて簡単に遂行される。
【００３１】
図２ａおよび２ｂは図１の線II−IIに沿った断面を示す。図２ｂは、いくつかの細部をより明瞭にするための図２ａの拡大である。枢軸として搭載された弁３、永久磁石４、磁石保持具５、およびリード接点スイッチ９がここに再び平面図として示される。より小さな領域部８、磁石保持具５中の永久磁石４、およびリード接点スイッチ９は閉じた筐体部１３ａの内部に配設され、したがってそれによって保護される。また、デバイス１は流入および流出開口１４の両方を含み、それにより空気流２はデバイス１を通って切り換えられる。
【００３２】
図２ａおよび２ｂに示したように、弁３に面する側の側面の筐体部１３ｃは半径ｒ２＝ｒ１＋ｘに成形され、それによって、半径ｒ２は、弁３の有効領域部７で描かれた円の半径ｒ１よりも、それが枢軸の動きをするようにｘの値だけ大きいので、デバイス１は可動弁３と側面の筐体部１３ｃの間に封止間隙１５を有する。ここで、図２ｂに示したように、長手方向の筐体部１３ｂが筐体の開口１４に挿入されるならば、その結果、より小さな開口１４ａとなり、封止間隙１５を通る流れが低減されるので、圧力が降下し、デバイスは感度が低くなる。
【００３３】
本構成の動作原理は以下の通りである。
空気流２は流入開口１４を通過して回転可能に搭載された弁３の有効領域部７へ到達する。弁３が（揺れ腕のように）懸架されているビボット軸受６のため、この実施形態では、空気流２は弁３の上にトルクモーメントを加え、それをその懸架軸の回りに回転させる。すなわち、空気流２によって誘起された弁３の揺動は、枢軸の動きとなる。デバイス１は、吹出および吸引空気流２の両方を検出できるように作製される。この目的のために、弁３は回転の右方向ならびに左方向へ偏向することができる。したがって流入および流出開口１４は逆に動作する。静止状態において、弁３は、永久磁石４の磁界とリード接点スイッチ９の磁性材料との相互作用のため、その静止位置に保たれる。リード接点１０は永久磁石４の磁界によって閉じられ、必要であれば、警告信号を誘起することができる。吹出および吸引空気流２が存在すれば、それは磁気的に働く保持力ＦＭに抗して弁３を偏向させなければならない。これが起きるとき、永久磁石４はリード接点１０から離れるので、弱くなる磁界のために後者は開放となる。次いで回路の遮断は換気が正常である信号を発する。弁３が偏向状態にあるとき、保持力ＦＭは静止力として働くので、空気流２の流速および／またはスループットの割合が減少すれば、弁３は再びその静止位置に近づく。上述のように、弁３をその最初の位置に戻すための追加の復元機構は必要ではない。リード接点スイッチ９の磁性材料と永久磁石４の磁性体間の相互作用は弁３を動かして戻すのに十分である。弁３が再びリード接点１０に接近すると、後者は閉じ、必要であれば、再び警告機構を起動する。弁３がリード接点１０へ“接近”する概念は、デバイス１の要求される検出動作に応じて異なると考えるべきである。以下に説明するデバイス1の構造および動作モードの選択はこれに関するさらなる情報を提供する。
【００３４】
一般に、近接型流体素子は回転可能に搭載した弁３としてではなく、その位置が一方向的な動きによって変化できるプレートとして作製することが可能である。したがって、プレートは例えば、レール上に案内されるか、またはいくつかの磁石で保持されて、空気流２によって押出しまたは吸引される。
【００３５】
また、永久磁石４は原理的に電磁石に置き換えることができ、同様に磁石保持具５の内部に固定される。したがって、電流で電磁気を供給するためのリード線は、例えばピボット軸受の内部を貫通することができる。
【００３６】
永久磁石４が使用されるとき、それはやはり筐体１３に付随する保持具に固定して取り付けることができる。次いで、磁石保持具５は補助的な磁性素子、特に強磁性素子を支持する働きをし、この場合磁気部材を完成する。
【００３７】
上述のように、永久磁石４の質量などの追加の質量を補正するために、弁３には少なくとも１個の釣り合い錘または類似の質量補正素子を設けなければならない。また、この質量補正は、弁３の偏心配置以外の測定によって実施することもできる。弁３の搭載が同心的であれば、その２つの領域を異なる材料から作製することができ、その密度の差が質量補正となる。いくつかの弁材料の切断または追加の素子を取り付けることも補正効果を有する。
【００３８】
図１、２ａ、２ｂは例示的実施形態を示しており、保持力ＦＭは、デバイス１の意図した検出動作に適したリード接点スイッチ９と永久磁石４の間の特定の距離ｄを選択することによって初期調整される。ここに示した例において、距離ｄは一定であるが、可変にすることも全く可能である。その目的のために、筐体１３は弁３が筐体１３中に可変に挿入できるように作製しなければならない。例えば、リード接点９からの永久磁石４の距離ｄを拡大することによって、低い流速および／またはスループットの割合であっても保持力ＦＭを勝り、従って弁３の位置の変化を可能にする。開口１４は、材料の永久接続によってそれに取り付けられた筐体１３の一部の形状または取り外し可能な部品のいずれかとしてカバーすることによって変更することができる。ここで、“材料の永久接続”は、溶接または接着剤の使用、ならびに物を接続するあらゆる他の手段、特に一体化した筐体１３の構造を含んで、古典的な方法によって形成された接続を表すことを意味する。ここで、空気流２の加圧または吸引は制御することが可能であり、したがって、デバイス１の応答感度を開口１４ａおよび封止間隙１５のサイズに応じて制御することが可能である。追加の磁性素子、特に強磁性素子は、磁性素子と永久磁石４の磁界の間の相互作用を変化させることによって保持力ＦＭのさらなる調節を可能にするであろう。磁性素子は、接点１０の磁気作用を強化するために、リード接点スイッチ９に配設することが好ましい。また、電磁石によって誘起された磁界の変動は保持力ＦＭを調整する他の可能な手段を表している。
【００３９】
図１、２ａ、２ｂに示した本例示的実施形態において、側面の筐体部１３ｃの形状を、弁３の有効表面部７が偏向されるときにそれに沿って動く通路に接近するように構成することによって、封止間隙１５の漏れはできるかぎり小さく保たれる。追加の弾性体封止唇片またはブラシはさらに漏れを制限できるが、ある環境では摩擦が大きくなる。所定のあらゆる場合における最善の解決はデバイス１が使用される状況による。空気流２の特定の最小の流速および／またはスループットの割合でのみ弁３の偏向を開始するように、封止間隙を意図的により広くすることは完全に可能である。したがって、流速および／またはスループットの割合がその限度以下であれば、意図的な漏れのため、弁３を偏向させるのに十分な衝撃は形成されない。
【００４０】
ここで、指摘すべきことは、個々でまたはあらゆる組み合わせにおいて、上に述べたすべての部分、特に図面に示した詳細が、本発明の本質であることを主張することである。よって当業者であれば、その修正は容易である。
【図面の簡単な説明】
【００４１】
【図１】本発明によるデバイスの長手方向の断面図である。
【図２ａ】図１の線II−IIに沿った断面図である。
【図２ｂ】図１の線II−IIに沿った断面の拡大図である。
【符号の説明】
【００４２】
１    供給空気流または容積測定用空気流をモニタするデバイス
２    空気流
３    弁
４    永久磁石
５    磁石保持具
６    ビボット軸受
７    有効領域部
８    より小さな領域部
９    リード接点スイッチ
１０  リード接点
１１  接点保持具
１２  リード線
１３  筐体
１３ａ  閉じた筐体部
１３ｂ  長手方向の筐体部
１３ｃ  側面の筐体部
１４  開口
１４ａ  減少した開口
ｄ    距離
ｒ１  半径１
ｒ２  半径２
【図１】
0004576234.tif 000002
【図２ａ】
0004576234.tif 000003
【図２ｂ】
0004576234.tif 000004